(57)【要約】      （修正有）【課題】藻場又は漁礁を造成するためのコンクリートの構造体であって、少ない費用で効率よく製作することができる海洋生物増殖用構造体及びその製造方法を提供する。【解決手段】下段の円柱体２ａより上段の円柱体２ｂの直径が小さくなった複数の円柱体２ａ，２ｂ，２ｃが積み上げられた形状に、コンクリートによって形成された本体部２を有し、前記円柱体のほぼ鉛直となった外周面に沿って周方向に連続する金網が配置されている。この金網の網目からは円柱体を形成するコンクリートに含まれる骨材粒の一部が突き出し、又はモルタル成分が金網の網目から外側に流れ出して硬化している。円柱体の外周面には多数の小孔を設けることができ、上面から下方に向けて穴を設けることもできる。また、円柱体から上方に複数の柱状体を立ち上げることもできる。【選択図】図１
2020110050.tif 000002
【特許請求の範囲】
【請求項１】
海底に設置される海洋生物増殖用構造体であって、
下段の円柱体より上段の円柱体の直径が小さくなった複数の円柱体が積み上げられた形状に、コンクリートによって形成された本体部を有し、
前記円柱体のほぼ鉛直となった外周面に沿って周方向に連続する金網が配置され、
前記円柱体を形成するコンクリートに含まれる骨材粒の一部が前記金網の網目から外側に突き出し、又は前記コンクリートに含まれるモルタル成分の一部が前記金網の網目から流れ出した状態で硬化して該円柱体の外周面に凹凸が形成されていることを特徴とする海洋生物増殖用構造体。
【請求項２】
前記金網は、前記円柱体の外周面の全周にわたって連続し、周方向の引張力に抵抗するとともに、円筒形に自立するものであることを特徴とする請求項１に記載の海洋生物増殖用構造体。
【請求項３】
前記円柱体の外周面に沿って配置された前記金網の内側には、前記円柱体を形成するコンクリートに含まれるモルタル成分が硬化前に前記金網の網目から流れ出すことにともなう空隙が形成されていることを特徴とする請求項１又は請求項２に記載の海洋生物増殖用構造体。
【請求項４】
前記金網の網目を通過し、前記円柱体の外周面から所定の深さに至る複数の小孔が形成されていることを特徴とする請求項１から請求項３までのいずれかに記載の海洋生物増殖用構造体。
【請求項５】
前記金網の網目から前記円柱体のコンクリート中に管部材が差し入れられ、
該管部材の前記円柱体の外周面から露出している端部が開放され、
前記円柱体の所定の深さまで該管部材の中空孔が連通していることを特徴とする請求項１から請求項３までのいずれかに記載の海洋生物増殖用構造体。
【請求項６】
前記円柱体の上面から下方に向けて穴が形成されていることを特徴とする請求項１から請求項５までのいずれかに記載の海洋生物増殖用構造体。
【請求項７】
前記円柱体の上面から上方に立ち上げられた柱状体を有することを特徴とする請求項１から請求項６までのいずれかに記載の海洋生物増殖用構造体。
【請求項８】
下段の円柱体より上段の円柱体の直径が小さくなった複数の円柱体が積み上げられた形状に、コンクリートによって形成され、海底に設置される海洋生物増殖用構造体の製造方法であって、
最下段の円柱体の形成は、
底型枠の上に金網を円筒状に立設し、
該金網で囲まれた内側に未硬化のコンクリートを打設し、
該金網に作用する周方向の引張力によって前記未硬化のコンクリートから作用する圧力の一部又は全部を支持し、
該金網の網目から未硬化のコンクリートに含まれる骨材粒の一部が突き出し、又は未硬化のコンクリートのモルタル成分が前記金網の網目から流れ出した状態で前記未硬化のコンクリートを硬化させることを特徴とする海洋生物増殖用構造体の製造方法。
【請求項９】
最下段より上方の円柱体の形成は、
円筒状に成形した第２の金網を、前記底型枠上に支持された複数の支持部材によって支持し、
該第２の金網は、前記最下段の円柱体を形成するための前記金網の上縁より上方に上縁があって、前記金網の上縁と同じ高さ、又は下方に該第２の金網の下縁があるように配置し、
前記最下段の円柱体を形成するコンクリートの打設に続いて、前記第２の金網で囲まれた内側に未硬化のコンクリートを打設し、
前記第２の金網に作用する周方向の引張力によって前記第２の金網の内側に打設した未硬化のコンクリートから作用する圧力の一部又は全部を支持し、
該第２の金網の網目から未硬化のコンクリートに含まれる骨材粒の一部が突き出し、又は未硬化のコンクリートのモルタル成分が前記第２の金網の網目から流れ出した状態で前記第２の金網の内側に打設した未硬化のコンクリートを硬化させるものであることを特徴とする請求項８に記載の海洋生物増殖用構造体の製造方法。
【発明の詳細な説明】
【技術分野】
【０００１】
本発明は、海底に設置して藻場礁又は魚礁の造成に用いられる海洋生物増殖用構造体、並びに海洋生物増殖用構造体の製造方法に関するものである。
【背景技術】
【０００２】
沿岸部で藻場が消滅する、いわゆる「磯焼け」という現象を抑制し、海藻類の生育を促進するために、人工的な藻場礁を造成する試みがなされている。藻場礁の造成には、多くの場合にコンクリートを主材料とする構造体が用いられ、コンクリートのブロック等を海底に沈設することが行われており、例えば特許文献１、特許文献２に記載されるものがある。また、魚類、貝類、甲殻類、頭足類等の繁殖及び生育を促進するためにコンクリートの構造体を海底に沈設して漁礁を造成することも行われており、例えば特許文献３に記載されるものがある。
【０００３】
特許文献１に記載の藻場造成用構造物は、充実質のコンクリートからなる基盤上にポーラスコンクリートからなる着生基体を設けたものである。コンクリートの基盤及びポーラスコンクリートからなる着生基体は、それぞれ型枠を用いて所定の形状にあらかじめ形成され、これらを組み合わせて藻場造成用構造物が製作される。
特許文献２に記載されている藻場礁は、コンクリートからなる台盤部材の上に、ポーラスコンクリートからなる複数の突起部材を取り付けたものである。この藻場礁でも、台盤部材及び突起部材はあらかじめ型枠を用いて形成されたものを組み合わせるものとなっている。
特許文献３に記載の人口漁礁は、コンクリートからなるテーブル状の漁礁本体を複数積み上げるとともに、最上部にはポーラスコンクリートのブロックを取り付けて海藻類の生育を促進するものとしている。
【先行技術文献】
【特許文献】
【０００４】
【特許文献１】特開２００６−２５７２０号公報
【特許文献２】特開２０１７−１９２３６２号公報
【特許文献３】特開２００５−３４８６５９号公報
【発明の概要】
【発明が解決しようとする課題】
【０００５】
しかしながら、コンクリートからなるブロック状の構造体を用いる藻場礁又は漁礁では次のような解決が望まれる課題がある。
藻場礁又は漁礁を造成するためにはブロック状の構造体を多数製作する必要がある。これらの構造体の製作には、いくつかの型枠を用い、これらを転用して順次にブロック状の構造体を製作してゆくことになる。しかし、型枠を転用するためには、未硬化のコンクリートを型枠内に打設し、養生して硬化した後に脱型することになり、打設から脱型までに所定の日数が必要となる。また、脱型後の型枠は付着したセメント成分等を剥ぎ落して清掃し、脱型を容易にするための離型剤等を塗布するなどの作業が必要となる。このため、作業効率が悪く、多数のブロック状の構造体を製作するのに多くの日数が必要となっている。
【０００６】
本発明は、上記のような事情に鑑みてなされたものであり、その目的は、藻場又は漁礁を造成するためのコンクリートの構造体であって、少ない費用で効率よく製作することができる海洋生物増殖用構造体を提供すること、及びこの海洋生物増殖用構造体を少ない費用で効率よく製作することができる製造方法を提供することである。
【課題を解決するための手段】
【０００７】
上記課題を解決するために、請求項１に係る発明は、  海底に設置される海洋生物増殖用構造体であって、  下段の円柱体より上段の円柱体の直径が小さくなった複数の円柱体が積み上げられた形状に、コンクリートによって形成された本体部を有し、  前記円柱体のほぼ鉛直となった外周面に沿って周方向に連続する金網が配置され、  前記円柱体を形成するコンクリートに含まれる骨材粒の一部が前記金網の網目から外側に突き出し、又は前記コンクリートに含まれるモルタル成分の一部が前記金網の網目から流れ出した状態で硬化して該円柱体の外周面に凹凸が形成されている海洋生物増殖用構造体を提供する。
【０００８】
この海洋生物増殖用構造体では、金網を型枠として用いることができ、そのままコンクリートと一体となった状態で使用することができる。したがって、型枠の転用、脱型、清掃等は不要となり、次々にコンクリートを打設して多数のブロック状の構造体を効率よく製作することができる。また、金網は軽量で扱いやすく、コンクリートを打設するまでの作業も効率化される。そして、形成された円柱体の外周面には金網の網目から骨材粒の一部が突き出したり、モルタル成分が網目から流れ出して硬化したりして凹凸が形成されている。これにより、海藻が着生しやすい状態が形成されている。
【０００９】
請求項２に係る発明は、  請求項１に記載の海洋生物増殖用構造体において、  前記金網は、前記円柱体の外周面の全周にわたって連続し、周方向の引張力に抵抗するとともに、円筒形に自立するものとする。
【００１０】
この海洋生物増殖用構造体では、円筒状となった金網は軽量で自立するので、コンクリートを打設する位置に容易に設置することができるとともに、打設した未硬化のコンクリートの内圧は金網に作用する周方向の引張力によって支持され、円筒状の形状が維持される。したがって、金網は簡単な構造で型枠として機能し、製作のための作業量及び費用を低減することが可能となる。
【００１１】
請求項３に係る発明は、請求項１又は請求項２に記載の海洋生物増殖用構造体において、  前記円柱体の外周面に沿って配置された前記金網の内側には、前記円柱体を形成するコンクリートに含まれるモルタル成分が硬化前に前記金網の網目から流れ出すことにともなう空隙が形成されているものとする。
【００１２】
この海洋生物増殖用構造体では、打設した未硬化のコンクリートに含まれるモルタル成分が金網の網目から流れ出し、外周面に凹凸を形成するのにともない、金網の内側の外周面近くでは、粗骨材間に空隙が生じている。このように空隙が生じた状態は、いわゆるポーラスコンクリートに近い状態となっており、海藻類の着生及び繁茂に好条件となり、海藻類の生育が促進される。
【００１３】
請求項４に係る発明は、請求項１から請求項３までのいずれかに記載の海洋生物増殖用構造体において、  前記金網の網目を通過し、前記円柱体の外周面から所定の深さに至る複数の小孔が形成されているものとする。
【００１４】
この海洋生物増殖用構造体では、円柱体の外周面から所定の深さに形成された小孔によって孵化して間もないエビ等が生息しやすい環境が提供される。また、小孔は、複数の管部材又は棒状部材を金網の網目に差し入れておき、コンクリートの硬化後に抜き取ることによって容易に形成することができる。
【００１５】
請求項５に係る発明は、請求項１から請求項３までのいずれかに記載の海洋生物増殖用構造体において、  前記金網の網目から前記円柱体のコンクリート中に管部材が差し入れられ、  該管部材の前記円柱体の外周面から露出している端部が開放され、  前記円柱体の所定の深さまで該管部材の中空孔が連通しているものとする。
【００１６】
この海洋生物増殖用構造体では、管部材によって外周面から所定の深さまでの複数の小孔が形成されており、孵化して間もないエビ等が生息しやすい環境が提供される。また、多数の管部材を金網の網目に差し込んでおくことによってコンクリートからなる円柱体の外周面に多数の小孔を容易に形成することが可能となる。
【００１７】
請求項６に係る発明は、請求項１から請求項５までのいずれかに記載の海洋生物増殖用構造体において、  前記円柱体の上面から下方に向けて穴が形成されているものとする。
【００１８】
この海洋生物増殖用構造体では、円柱体の上面に形成された穴によって、小さい魚類の生育に適した環境を提供することができる。
【００１９】
請求項７に係る発明は、請求項１から請求項６までのいずれかに記載の海洋生物増殖用構造体において、  前記円柱体の上面から上方に立ち上げられた柱状体を有するものとする。
【００２０】
この海洋生物増殖用構造体では、立ち上げられた複数の柱状体によって魚類の生息しやすい環境が得られる。また、柱状体によって円柱体の上方の海流が抑制され、本体部に海藻類が着生しやすい環境が得られる。
【００２１】
請求項８に係る発明は、  下段の円柱体より上段の円柱体の直径が小さくなった複数の円柱体が積み上げられた形状に、コンクリートによって形成され、海底に設置される海洋生物増殖用構造体の製造方法であって、  最下段の円柱体の形成は、  底型枠の上に金網を円筒状に立設し、  該金網で囲まれた内側に未硬化のコンクリートを打設し、  該金網に作用する周方向の引張力によって前記未硬化のコンクリートから作用する圧力の一部又は全部を支持し、  該金網の網目から未硬化のコンクリートに含まれる骨材粒の一部が突き出し、又は未硬化のコンクリートのモルタル成分が前記金網の網目から流れ出した状態で前記未硬化のコンクリートを硬化させる海洋生物増殖用構造体の製造方法を提供するものである。
【００２２】
この海洋生物増殖用構造体の製造方法では、円筒状に設置された金網の周方向の引張力によってコンクリートを打設したときの内圧を支持することができ、金網は円筒形状を維持して型枠として機能する。したがって、他に型枠を用いることなくコンクリートからなる円柱形状の構造体を容易に製作することが可能となる。また円柱体の外周面には海藻類が着生しやすい凹凸を容易に形成することが可能となる。
【００２３】
請求項９に係る発明は、請求項８に記載の海洋生物増殖用構造体の製造方法において、  最下段より上方の円柱体の形成は、  円筒状に成形した第２の金網を、前記底型枠上に支持された複数の支持部材によって支持し、  該第２の金網は、前記最下段の円柱体を形成するための前記金網の上縁より上方に上縁があって、前記金網の上縁と同じ高さ、又は下方に該第２の金網の下縁があるように配置し、  前記最下段の円柱体を形成するコンクリートの打設に続いて、前記第２の金網で囲まれた内側に未硬化のコンクリートを打設し、  前記第２の金網に作用する周方向の引張力によって前記第２の金網の内側に打設した未硬化のコンクリートから作用する圧力の一部又は全部を支持し、  該第２の金網の網目から未硬化のコンクリートに含まれる骨材粒の一部が突き出し、又は未硬化のコンクリートのモルタル成分が前記第２の金網の網目から流れ出した状態で前記第２の金網の内側に打設した未硬化のコンクリートを硬化させるものとする。
【００２４】
この海洋生物増殖用構造体の製造方法では、複数の円柱体が積み上げられた形状の構造体の下から２段目以上の円柱体を、軽量で簡単な支持部材で支持された第２の金網を型枠として、継続的なコンクリート打設によって形成することができる。したがって、直径が大きい下段の円柱体のコンクリートを打設した後、硬化するまで上段のコンクリートの打設を控える必要はなく、効率よく構造体を形成することができる。
【発明の効果】
【００２５】
以上説明したように、本発明の海洋生物増殖用構造体では、海藻類が着生しやすく、魚貝類の生育を促進することが可能になるとともに、安価で効率よく製作することができる。また、本発明の海洋生物増殖用構造体の製造方法では、藻場又は漁礁を造成するためのコンクリートの構造体を、少ない費用で効率よく製作することができる。
【図面の簡単な説明】
【００２６】
【図１】本発明の一実施形態である海洋生物増殖用構造体の概略側面図及び概略平面図である。
【図２】図１に示す海洋生物増殖用構造体の概略断面図である。
【図３】図１に示す海洋生物増殖用構造体の概略斜視図である。
【図４】図１に示す海洋生物増殖用構造体の外周部であって図２中に示すＡ部の拡大断面図である。
【図５】図１に示す海洋生物増殖用構造体の製造方法を示す概略斜視図である。
【図６】図１に示す海洋生物増殖用構造体の外周部に小孔を形成した例を示す拡大断面図である。
【図７】本発明の他の実施形態であって、円柱体の上面に複数の穴が形成された海洋生物増殖用構造体を示す概略斜視図である。
【図８】図７に示す海洋生物増殖用構造体の複数の穴を形成するための型枠を示す概略斜視図である。
【図９】本発明の他の実施形態であって、円柱体の上面から複数の柱状体が立ち上げられている海洋生物増殖用構造体を示す概略斜視図である。
【図１０】図９に示す海洋生物増殖用構造体の製造方法を示す概略斜視図である。
【図１１】柱状体を有する海洋生物増殖用構造体の他の実施形態を示す概略側面図及び概略平面図である。
【図１２】円柱体の上面にホタテの貝殻を取り付けた状態を示す概略断面図である。
【発明を実施するための形態】
【００２７】
以下、本発明の実施の形態を図に基づいて説明する。
図１は、本発明の一実施形態である海洋生物増殖用構造体を示す概略側面図及び概略平面図である。また、図２は同じ海洋生物増殖用構造体の概略断面図であり、図３は概略斜視図である。
この海洋生物増殖用構造体１は、海岸近くの陸上で製作され、沿岸部の海底に沈設されるものであり、コンクリートを主材料として本体部２が形成されている。そして、この本体部２は複数の円柱体を積み上げた形状となっており、最下段の円柱体２ａの上に積み上げられた２段目の円柱体２ｂ及び２段目より上方に積み上げられた円柱体２ｃの直径は、その下側にある下段の円柱体の直径より小さくなっている。一方、それぞれの円柱体２ａ，２ｂ，２ｃの高さはほぼ一定となっている。したがって、最下段の円柱体２ａは扁平な形状となり、上方の円柱体は下段の円柱体より、高さに対する直径の比率が小さくなっている。
なお、本実施の形態では、それぞれの円柱体２ａ，２ｂ，２ｃの高さをほぼ一定としているが、それぞれの円柱体で高さが異なるものであってもよい。
【００２８】
上記本体部２は、それぞれの円柱体２ａ，２ｂ，２ｃを鉛直方向の中心軸線がほぼ一致するように積み上げられた形状となっており、最上段の円柱体の上面から下方に向けて円筒形の中央穴３が設けられている。この中央穴３は中心軸線が円柱体２ａ，２ｂ，２ｃの中心軸線とほぼ一致するように形成され、最上段の円柱体２ｃの上面から最下段の円柱体２ａの下面まで貫通するものとなっている。
なお、本実施の形状では上述のように各円柱体２ａ，２ｂ，２ｃの中心軸線及び中央穴３の中心軸線がほぼ一致するものとなっているが、本発明の海洋生物増殖用構造体は中心軸線が一致するものに限定されるものではなく、中心軸線がずれているものであってもよい。
【００２９】
それぞれの円柱体２ａ，２ｂ，２ｃの円筒状となった外周面付近には、金網４が周方向に連続するように配置され、本体部を形成するコンクリートと一体となっている。この円筒状に配置された金網４の内側はコンクリートが充填されており、図４に拡大図を示すように、この金網４の網目からはコンクリート中の骨材粒５の一部が外側に突き出し、又はコンクリート中のモルタル成分６が金網４の外側に流れ出した状態で硬化している。したがって、それぞれの円柱体２ａ，２ｂ，２ｃの外周面には上記骨材粒５の一部又は流れ出したモルタル成分６によって凹凸が形成されている。
【００３０】
上記金網４は、網目の寸法が２０ｍｍで周方向に連続して継ぎ目のない環状に形成されたものである。そして、全周にわたって周方向の引張力に抵抗し得るものとなっている。
上記網目の寸法は、円筒状となった金網４の内側に充填されているコンクリートの粗骨材の寸法によって決定することができるものであり、粗骨材の大部分、例えば６０％〜９０％が通過し得ない寸法に設定するのが望ましい。
【００３１】
次に、上記海洋生物増殖用構造体の製造方法について説明する。
まず、図５に示すように本体部２を構成するコンクリートの打設のための底型枠７を設ける。底型枠７は水平方向に平滑に形成する。そして、この上に円筒状となった金網４を設置する。第１の金網４ａは最下段の円柱体２ａの外周面に沿って配置されるものであり、底型枠７の上に載置して下縁が底型枠７と接触するものとする。その内側の下から２段目の円柱体２ｂの外周面に沿った位置に、円筒状に形成された第２の金網４ｂを設置する。この第２の金網４ｂには、鉛直方向に３本以上の棒鋼８が接合され、第２の金網４ｂを支持する脚部となっている。これらの脚部に支持されたときに、第２の金網４ｂは中心軸線がほぼ鉛直方向で、第２の金網４ｂの下縁は第１の金網４ａの上縁と同じ高さ又は上縁よりやや低い位置となるように支持する。また、３段目の円柱体２ｃの外周面となる位置にも２段目の円柱体２ｂの外周面に沿って配置する第２の金網４ｂと同様に、円筒状に形成された第３の金網４ｃに脚部として棒鋼９を取り付け、中心軸線がほぼ鉛直となるように支持する。そして、第３の金網４ｃの下縁が第２の金網４ｂの上縁と同じ高さかこれよりやや低い位置となるように設置する。
【００３２】
上記金網４ａ，４ｂ，４ｃのそれぞれは、図５に示すように周方向に閉じた状態に連続する網状体１１と、この網状体が円筒形状を維持するのを補助する環状部材１２とを有するものである。網状体１１は周方向に連続していることにより、全周にわたって周方向の引張力を負担することができるものであるとともに、環状部材１２も周方向の引張力を負担することができるものである。これらの網状体１１及び環状部材１２によって金網４の内側に打設される未硬化のコンクリートからの圧力を周方向の引張力によって支持するものである。
【００３３】
上記金網４ａ，４ｂ，４ｃの設置後又は設置前に、中央穴３を形成するための円筒型枠１３を設置する。円筒型枠１３は、例えば紙を筒状に成型したものを用いることができる。
上記金網４ａ，４ｂ，４ｃ及び円筒型枠１３は、コンクリートを打設したときの未硬化のコンクリートの流動圧等によって移動しないように底型枠７に固定しておくのが望ましい。例えば底型枠７に突起（図示しない）を設けておき、金網４ａ，４ｂ，４ｃ又は円筒型枠１３の下端部を係止することによって固定することができる。なお、金網４ａ，４ｂ，４ｃ又は円筒型枠１３の下端部と底型枠７に設けた突起との係止部は、打設したコンクリートが硬化した後に容易に分離できるように被覆等の措置を行うのが望ましい。
【００３４】
上記海洋生物増殖用構造体では、安価で軽量の金網を型枠としてコンクリートを打設し、コンクリートの本体部２と一体となるように製造することができる。円筒状に形成された金網４ａ，４ｂ，４ｃには、内側に打設された未硬化のコンクリートによって内圧が作用するが、金網４ａ，４ｂ，４ｃに作用する周方向の引張力によって抵抗することができる。したがって、未硬化のコンクリートに作用する圧力に対して強固な支持構造を設ける必要がなく、簡単な構造でコンクリートの本体部２を形成することが可能となる。
【００３５】
また、金網４ａ，４ｂ，４ｃによってコンクリートを成型することができるので、所定の形状で複数回の転用が可能な型枠は不要となり、型枠の製作費用が不要になるとともに、型枠の転用のための清掃等の多くの作業が不要となる。これにより、少ない費用で効率よく製造することが可能となる。
【００３６】
一方、円筒状となった金網４ａ，４ｂ，４ｃの内側にコンクリートを打設すると、網目から粗骨材５の一部が突き出したり、モルタル成分、水が流れ出したりするが、少量のモルタル成分が流出した状態でとまる。そして、この状態でコンクリートが硬化し、本体部２の外周面には、突き出した粗骨材５や流れ出して硬化したモルタル成分６で凹凸が形成される。
また、モルタル成分又は水の流出で本体部２の外周面付近のコンクリートには強度の低下が生じるが、強度低下の範囲は３０ｍｍから８０ｍｍ程度となる。そして強度低下が生じた部分は、粗骨材間に空隙１０が生じ、ポーラスコンクリートに近い状態となる。
これらにより、本体部２の外周面は海藻類が着性しやすいものとなる。また、本体部２の形状は複数の円柱体２ａ，２ｂ，２ｃを積み上げた形状となっており複数の階段状の段差が形成されている。段差によって突き出した角部分には海藻類が着生しやすく、本体部２の形状によっても海藻類の着生を促進するものとなる。
【００３７】
上記海洋生物増殖用構造体は、円柱体２ａ，２ｂ，２ｃの外周面に複数の小孔を設けて海老等の繁殖を促進することもできる。
図６は、小孔１４が形成された円柱体２ａ，２ｂ，２ｃの外周面付近の拡大断面図である。
小孔１４は、金網の網目とほぼ同じか、網目より小さい内径を有するものであり、１３ｍｍ〜２０ｍｍ程度とするのが望ましい。これらの小孔１４の軸線がほぼ水平となり、深さが内径の５倍程度より深いものとするのが望ましい。そして、全ての小孔が同じ内径を有するものであってもよいが、内径が異なるものを設けることもできる。いくつかの内径が異なる小孔を設けることによって、海老等の成長の過程における長い期間で生息のための場所又は外敵から守られる場所を提供することができる。
【００３８】
上記小孔１４を形成するときには、金網４を型枠としてコンクリートを打設する前に網目に管部材又は棒状部材を突き入れて保持しておき、金網４の内側に突き入れられた部分を埋め込むようにコンクリートを打設する。そして、コンクリートが硬化した後に管部材又は棒状部材を抜き取る。管部材又は棒状部材は、抜き取りを容易にするために剥離剤、油脂等を塗布しておくのが望ましい。また、管部材又は棒状部材は、コンクリートの打設中又は打設直後のコンクリートが未硬化の状態で網目に突き入れてもよい。
一方、金網４の網目に管部材を突き入れるときには、円柱体２ａ，２ｂ，２ｃを形成するコンクリートを打設して硬化した後、引き抜くことなく金網とともに円柱体に保持させてもよい。このときには管部材のコンクリートに埋め込む先端部は閉鎖ししておき、コンクリートが硬化した後に円柱体２ａ，２ｂ，２ｃの外周面から突き出した部分の長さを切り揃える。円柱体の外周面の外側で開放された管部材の中空孔によって海老等の繁殖を促進することができる。
【００３９】
図７は本発明の他の実施形態である海洋生物増殖用構造体の概略斜視図である。
この海洋生物増殖用構造体２１は、図１から図４までに示す実施形態と同様に複数の円柱体２２ａ，２２ｂ，２２ｃが積み上げられた形状の本体部２２を有し、各円柱体の外周面付近には金網が配置されて外周面に凹凸が形成されている。
一方、この海洋生物増殖用構造体２１では、最上段の円柱体２２ｃの上面から下方に向けて形成された中央穴２３の他に、最下段の円柱体２２ａおよび２段目の円柱体２２ｂの平坦な上面からも下方に向けて複数の円形の穴２４ａ，２４ｂが形成されている。
これらの穴２４ａ，２４ｂは、最下段の円柱体２２ａの底面まで貫通するものであっても良いし、底面より上方に底があるものであってもよい。
このような穴２４ａ，２４ｂを設けることにより、多様な生物の生息を促進することができる。
【００４０】
最下段の円柱体２２ａ又は２段目の円柱体２２ｂの上面から下方へ向けて設けられた上記穴２４ａ，２４ｂは、次のように形成することができる。
図５に示すのと同様に型枠として機能する金網を底型枠の上に設置するとともに、穴を形成するための円筒状の型枠を底型枠の上に設置する。円筒状の型枠は、最上段の円柱体の上面から中心軸線上に設けた中央穴３と同様に紙筒を用いることができ、図８（ａ）に示すように複数の紙筒２５ａを底型枠上に配置し、円形に閉じた形状に加工した複数の環状棒鋼２６ａの周方向に沿って間隔を開けて固定する。複数の紙筒２５ａは環状棒鋼２６ａによって互いに連結され、中心軸線を鉛直方向に向けた状態で安定して支持される。このように紙筒２５ａを底型枠上に支持してコンクリートを打設することにより複数の穴２４ａを容易に形成することができる。
【００４１】
図８（ａ）に示す円筒状の型枠は、最下段の円柱体２２ａの底面まで貫通する穴を形成するものであるが、最下段の円柱体２２ａの上面から又は２段目の円柱体２２ｂの上面から底面より上方に底がある穴２４ｂを形成することもできる。このときには、図８（ｂ）に示すように複数の紙筒２５ｂが取り付けられた環状棒鋼２６ｂを複数の脚部２７によって紙筒２５ｂの下端が底型枠の上面より上方となるように支持する。脚部２７には棒鋼等を用いることができる。また、紙筒２５ｂには、底を設けておく。底を有する紙筒２５ｂにはコンクリートの打設時に未硬化のコンクリートから浮力が作用する。このため上記脚部２７を底型枠に係止して上方へ浮き上がるのを抑止するか、又は脚部にコンクリートのブロック等の本体部２２に埋め込むことが可能な錘を固定して紙筒２５ｂが浮き上がるのを抑止するのが望ましい。
【００４２】
図９は本発明の他の実施形態である海洋生物増殖用構造体の概略斜視図である。
この海洋生物増殖用構造体３１も、図１から図４までに示す実施形態と同様に複数の円柱体３２ａ，３２ｂ，３２ｃが積み上げられた形状の本体部３２を有し、各円柱体３２ａ，３２ｂ，３２ｃの外周面付近には金網が配置されて外周面に凹凸が形成されている。そして、この海洋生物増殖用構造体３１では、最下段の円柱体３２ａの上面から上方に向けて複数の柱状体３３が立ち上げられている。これらの柱状体３３は、コンクリートからなるものであっても良いし、鋼管であってもよい。本実施例では柱状体３３は６本が立ち上げられているが、柱状体３３の数はこれに限定されるものではなく、３本以上であって円柱体３２ａの上面から立ち上げることができる範囲で数を設定することができる。また、柱状体３３の太さ、断面形状、立ち上げ高さ等についても、この海洋生物増殖用構造体を設置する場所、目的等に応じて適宜に設定することができる。さらに、２段目の円柱体３２ｂの上面から柱状体を立ち上げるものであってもよい。
【００４３】
このような柱状体３３を有する海洋生物増殖用構造体３１では、複数の柱状体３３によって魚類が集まり易い環境を形成することができるとともに、本体部３２の表面近くの海流を抑制し、海藻類が着生し易い状態とすることができる。
【００４４】
上記のように複数の柱状体３３を有する海洋生物増殖用構造体３１は、図７に示す構造体と同様に最下段の円柱体３２ａの上面から下方に向けて穴を形成しておき、本体部３２のコンクリートが硬化した後に、別途製作したコンクリート又は鋼管等の柱状体３３を上記穴に差し入れて本体部から立ち上げることができる。
また、本体部３２のコンクリートを打設する前に柱状体３３を底型枠上に配置しておき、これらの下部を埋め込むように本体部３２のコンクリートを打設して一体としてもよい。
【００４５】
このように本体部３２のコンクリートを打設する前に柱状体３３を底型枠上に配置するときには複数の柱状体３３を次のように支持することができる。
図１０に示すように複数の柱状体３３を鋼からなる枠体３４に固定し、互いに連結された状態で複数の柱状体３２が直立するように支持する。このように互いに枠体３４によって連結された複数の柱状体３２を底型枠上に設置し、型枠として機能する金網内にコンクリートを打設して複数の柱状体３３の下部を本体部３２のコンクリート中に埋め込む。本体部３２のコンクリートが硬化した後に枠体３４との結合を解放し、枠体３４を撤去することにより、本体部３２に複数の柱状体３３が一体に固定された構造とすることができる。
【００４６】
なお、柱状体を有する海洋生物増殖用構造体は、図１１に示すように複数の柱状体３３のうちの３本の柱状体３３ａを、最下段の円柱体３２ａの底面より下方に突き出した状態で固定するものであっても良い。
このように３本の柱状体３３ａが底面より突き出していることにより、この海洋生物増殖用構造体を設置する海底が起伏を有するものであっても、安定した状態で設置することが可能となる。
【００４７】
３本の柱状体３３ａを最下段の円柱体３２ａの底面より下方に突き出すときには、底型枠に柱状体３３ａの下端部を所定の深さまで挿入することができる穴を設けておく。そして、図１０に示すように枠体３４で連結した複数の柱状体３３を底型枠の上に設置するときに３本の柱状体３３ａの下端部を穴に挿入する。これらの柱状体３３ａと一体となるように本体部３２のコンクリートを打設することにより、底面より３本の柱状体３３ａが下方に突き出した構造体とすることができる。
【００４８】
なお、円柱体３２ａの上面から上方に突き出す柱状体３３を設けずに、底面より下方に突き出した３本の柱状体を有するものとすることもできる。このときには、短くて上端が本体部２に埋め込まれる長さの柱状体を製作し、底型枠に設けた穴に挿入しておく。そして、上部を本体部のコンクリートに埋め込んで、柱状体が下方にのみ突き出した構造体とすることができる。
【００４９】
なお、以上に説明した海洋生物増殖用構造体は、本発明の実施の形態であり、本発明はこれらに限定されるものではなく、本発明の範囲内において適宜に寸法、形状等を変更して実施することができるものである。
例えば、上記実施の形態では、本体部は３つの円柱体を積み上げた形状となっているが２つの円柱体を積み上げた形状であってもよいし、４つ以上の円柱体を積み上げた形状であってもよい。
【００５０】
また、型枠として使用する金網は、円筒状に自立して周方向の引張力に抵抗し得る構造を有するものであれば、様々な構成を採用することができる。例えば粗骨材がすべて通過するような粗い網状体で形状を保持し、粗骨材の通過を制限する細かい網目を有する網状体を重ねて用いるもの等を採用することができる。
【００５１】
さらに円柱体の上面は平滑に仕上げてもよいが、小さな凹凸が生じた粗面に仕上げてもよいし、凹凸が生じるようにコンクリート片や貝殻等を本体部２のコンクリートに一部を埋め込んで固定するものであってもよい。
図１２は、ホタテの貝殻４１を円柱体４２の上面に固定した例を示す概略断面図である。ホタテの貝殻４１は傾斜した状態で複数が配列されており、ホタテの貝殻の間の空隙が小さい海洋生物の生息を保護するものとなる。このようなホタテの貝殻は、本体部を構成するコンクリートを打設した後の未硬化の状態で貝殻の一部を差し込み、コンクリートが硬化することによって固定することができる。
【符号の説明】
【００５２】
１：海洋生物増殖用構造体，  ２：本体部，  ２ａ，２ｂ，２ｃ：本体部を構成する円柱体，  ３：中央穴，  ４：金網，  ５：粗骨材，  ６：硬化したモルタル成分，  ７：底型枠，  ８，９：金網の脚部となる棒鋼，  １０：円柱体を構成するコンクリートに形成された空隙，  １１：金網を構成する網状体，  １２：金網を構成する環状部材，  １３：円筒型枠，  １４：円柱体の外周面に形成された小孔，
２１：海洋生物増殖用構造体，  ２２：本体部，  ２２ａ，２２ｂ，２２ｃ：本体部を構成する円柱体，  ２３：中央穴，  ２４：円柱体に設けられた穴，  ２５：紙筒，  ２５ａ：最下段の円柱体に穴を形成するための紙筒，  ２５ｂ：２段目の円柱体に穴を形成するための紙筒，  ２６：環状棒鋼，  ２７：紙筒を支持するための脚部，
３１：海洋生物増殖用構造体，  ３２：本体部，  ３２ａ，３２ｂ，３２ｃ：本体部を構成する円柱体，  ３３：柱状体，  ３４：枠体，
４１：ホタテの貝殻，  ４２：本体部を構成する円柱体
【図１】
2020110050.tif 000003
【図２】
2020110050.tif 000004
【図３】
2020110050.tif 000005
【図４】
2020110050.tif 000006
【図５】
2020110050.tif 000007
【図６】
2020110050.tif 000008
【図７】
2020110050.tif 000009
【図８】
2020110050.tif 000010
【図９】
2020110050.tif 000011
【図１０】
2020110050.tif 000012
【図１１】
2020110050.tif 000013
【図１２】
2020110050.tif 000014